(57)【要約】【課題】立体造形花壇において、重量を軽くすると共に、容易に作製できるようにする。【解決手段】立体造形花壇１は、所望の形状に形成された発泡樹脂から成る躯体２と、躯体２の表面を被覆する植物３とを備える。植物３は、保水体である水苔４を植物３の根部３１に巻付けた生育可能な状態で、躯体２に取付けられる。また、植物３は、躯体２に刺し込まれる専用の固定具５を用いて、躯体２に取付けられる。固定具５は、一本の金属を折り曲げて形成され、又は樹脂成型されており、水苔４及び植物の根部３１に貫通させた状態で、躯体２に刺し込まれる。植物３は、躯体２に刺し込まれた固定具５に支えられることにより、躯体２に取付けられて、躯体２の表面を被覆する。躯体２が発泡樹脂から成るため、立体造形花壇１の重量を軽くすることできる。また、躯体２の表面に植物３を取付けるだけで、立体造形花壇１を容易に作製することができる。【選択図】図１
2010035503.tif 000002
【特許請求の範囲】
【請求項１】
所望の形状に形成された発泡樹脂から成る躯体と、前記躯体の表面を被覆する植物とを備え、
前記植物は、培地に植付けた生育可能な状態で、又は水苔、スポンジを含む保水体を該植物の根部に巻付けた生育可能な状態で、前記躯体に取付けられて成ることを特徴とする立体造形花壇。
【請求項２】
前記植物は、前記躯体に刺し込まれる先端に脱落防止の反しを有する固定具を用いて該固定具に支えられることにより、前記躯体に取付けられて成ることを特徴とする請求項１に記載の立体造形花壇。
【請求項３】
前記植物は、接着剤を用いて前記躯体の表面に接着されることにより、前記躯体に取付けられて成ることを特徴とする請求項１に記載の立体造形花壇。
【請求項４】
前記躯体は、発泡樹脂の内部に骨格が設けられていることを特徴とする請求項１乃至請求項３のいずれか一項に記載の立体造形花壇。
【発明の詳細な説明】
【技術分野】
【０００１】
本発明は、植物を用いて立体的に造形した立体造形花壇に関するものである。
【背景技術】
【０００２】
従来、植物を用いて鳥、熊、象等を模した形を立体的に造形する手法は、ツゲ等の植物を所望の形に刈り込む手法と（例えば特許文献１参照）、イギリスやカナダ等で行われているモザイクカルチャーと呼ばれる手法がある。モザイクカルチャーの手法では、（１）造形しようとする作品の骨格部分を鉄骨、鉄筋、鉄線等を用いて溶接等の手法で形造し、（２）骨格部分の外側に金網等を巻付けて作品の概略形状を形造り、（３）更に、金網の外側に土漏れ防止用の粗めの布状物を巻付け又は添着して、その上から手ぐす（ナイロン糸等）で布状物を固定し、（４）骨格部分と金網（布状物）との間隙に培養土を詰め込み、（５）布状物の外表面から、布状物を植物の小苗を植え込む必要サイズ（３〜５ｃｍ位）に切り開いたり押し開いたりして、そこへ植物の小苗の根部を押し込んで植え付ける、という工程で作品が製作される。
【特許文献１】特開平６−７０６４４号公報
【発明の開示】
【発明が解決しようとする課題】
【０００３】
ところが、上述したモザイクカルチャーの手法では、（１）骨格部分と金網との間隙に大量の培養土を詰め込むので、作品に重量があり、大型の作品は移動が難しい、（２）潅水等により重量のかかる部分があり、作品の形状が崩れ易い、（３）作品の上面と下面とで乾燥、過湿等、水分状態が異なり、水分管理が難しい、（４）植え込む植物は小さな苗しか使えないため、通常、１ｍ２あたり５００本以上使用され、カナダのように夏期冷涼な地域では植物がむれずにゆっくり成長するので管理が容易であるが、日本では気候の変化が大きく植物が夏期に早く成長するのでむれたりして管理が難しい、等の欠点がある。このように、モザイクカルチャーの手法は、作品に重量があり移動が難しく、また、作製方法が煩雑なうえ、植物の植え込みに大変な労力を要すると共に、後の維持管理が難しいため、日本では普及していない。
【０００４】
本発明は、上記課題を解決するためになされたものであり、重量を軽くすると共に容易に作製することができる立体造形花壇を提供することを目的とする。
【課題を解決するための手段】
【０００５】
上記目的を達成するために請求項１の発明は、所望の形状に形成された発泡樹脂から成る躯体と、躯体の表面を被覆する植物とを備え、植物は、培地に植付けた生育可能な状態で、又は水苔、スポンジを含む保水体を該植物の根部に巻付けた生育可能な状態で、躯体に取付けられて成るものである。
【０００６】
請求項２の発明は、請求項１に記載の立体造形花壇において、植物は、躯体に刺し込まれる先端に脱落防止の反しを有する固定具を用いて該固定具に支えられることにより、躯体に取付けられて成るものである。
【０００７】
請求項３の発明は、請求項１に記載の立体造形花壇において、植物は、接着剤を用いて躯体の表面に接着されることにより、躯体に取付けられて成るものである。
【０００８】
請求項４の発明は、請求項１乃至請求項３のいずれか一項に記載の立体造形花壇において、躯体は、発泡樹脂の内部に骨格が設けられているものである。
【発明の効果】
【０００９】
請求項１の発明によれば、躯体が発泡樹脂から成るため、立体造形花壇の重量を軽くすることできる。また、躯体の表面に植物を取付けるだけで、容易に立体造形花壇を作製することができる。しかも、植物を躯体に直接に植え込まずに、別途育てた植物を躯体に取付けるため、ある程度大きく育った植物を使用でき、すぐに鑑賞できる立体造形花壇を作製することができる。さらに、取付ける植物の大きさにより、植物の取付け位置を自由に調節できるメリットがあると共に、成長の早い植物は取付け間隔を広く取るなど、植物の性質に合わせて植物の取付け位置を調節することができ、容易に立体造形花壇を作製することができる。
【００１０】
請求項２の発明によれば、固定具を用いて容易に植物を躯体に取付けて立体造形花壇を作製することができる。
【００１１】
請求項３の発明によれば、接着剤を用いて容易に植物を躯体に取付けて立体造形花壇を作製することができる。
【００１２】
請求項４の発明によれば、骨格によって躯体の耐力性が高められ、形状が崩れ難い立体造形花壇を作製することができる。
【発明を実施するための最良の形態】
【００１３】
以下、本発明を具体化した実施形態による立体造形花壇について図面を参照して説明する。図１は、立体造形花壇の構成を示す。立体造形花壇１は、植物を用いて立体的に造形したものであり、発泡樹脂から成る躯体２と、躯体２の表面を被覆する多数の植物３とを備える。躯体２は、所望の形状（立体的に造形して表現しようとするものの概略形状）に形成されている。各植物３は、保水体である水苔４を植物３の根部３１に巻付けた生育可能な状態で、躯体２に取付けられている。また、各植物３は、専用の固定具５を用いて、躯体２に取付けられている。この立体造形花壇１は、動物の熊を立体的に造形して表現しており、台１０に固定された状態で、例えば庭園等の地面に設置される。立体造形花壇１は、躯体２を作製し、その躯体２に植物３を取付けることにより、作製される。
【００１４】
躯体２の作製方法について説明する。躯体２は、例えば、発泡樹脂（発泡スチロール）を所望の形状に削り出すことにより作製する。この場合、１つの大きな発泡樹脂の塊りから、所望の形状に削り出してもよいし、複数の発泡樹脂の小片を接着して概ねの形状を形造った後、その細部を削って、所望の形状に削り出してもよい。なお、躯体２が大型の場合には、鉄骨や鉄筋を使用した骨格、木製の骨格、樹脂製の骨格に発泡樹脂を接着して、躯体２を作製してもよい。このようにすれば、躯体２は、発泡樹脂の内部に骨格が設けられたものとなり、骨格によって躯体２の耐力性が高められ、形状が崩れ難い立体造形花壇１を作製することができる。
【００１５】
また、躯体２は、例えば、金網状のものを用いて所望の形状を形造って、その外側にビニールシート等を巻付け、そして、その内部へ樹脂を注入、発泡させた後、表面のビニールシート等を取外すことにより、作製してもよい。
【００１６】
また、同じ形状の躯体２を複数個作製する場合には、上記の２つの方法のいずれかによって作製した躯体２を原型にして、ＦＲＰ等で外型をとり、そして、外型を組み合わせて、その内部へ樹脂を注入、発泡させた後、外型を取外すことにより、躯体２を作製してもよい。このようにすれば、容易に、同形状の躯体２を複数個作製することができる。なお、躯体２が複雑な形状の場合には、発泡樹脂を複数の部分に分割成型して、それら分割成型した発泡樹脂を組立てて、躯体２を作製してもよい。また、躯体２が大型の場合には、鉄筋等で構成した芯部分に網状体（金網又は樹脂製網）を巻付けた骨格を用い、その骨格を内部に含むように外型を組み合わせて、その内部へ樹脂を注入、発泡させた後、外型を取外すことにより、躯体２を作製してもよい。このようにすれば、躯体２は、骨格に発泡樹脂が発泡成型されて、発泡樹脂の内部に骨格が設けられたものとなり、骨格によって躯体２の耐力性が高められ、形状が崩れ難い立体造形花壇１を作製することができる。
【００１７】
図２（ａ）（ｂ）（ｃ）は、植物３の構成、固定具５の構成、及び固定具５を用いた植物３の躯体２への取付構造を示す。図２（ａ）（ｂ）（ｃ）を参照して、植物３の構成、固定具５の構成、及び固定具５を用いた植物３の躯体２への取付けについて説明する。植物３は、ピット苗（根部３１が径２〜３ｃｍ位の小さな苗）であり、別途栽培育成されたもので、根部３１に培地を有していないものが用いられる。
【００１８】
固定具５は、躯体２に刺し込まれる２本の針状部５１を備えており、各針状部５１の先端（すなわち躯体２に刺し込まれる先端）に、躯体２からの脱落防止の反し５２を有している。２本の針状部５１は、繋ぎ部５３を介して繋がれており、互いに略平行になっている。この固定具５は、一本の金属を折り曲げて形成されているか、又は、成型した樹脂により形成されている。
【００１９】
植物３は、このような構成の固定具５を用いて、躯体２に取付けられる。すなわち、植物３の根部３１に水苔４を巻付けた後、固定具５の２本の針状部５１を水苔４及び植物３の根部３１に貫通させ（図２（ｂ）参照）、そして、水苔４及び植物３の根部３１に貫通させた２本の針状部５１の先端を躯体２に刺し込む（図２（ｃ）参照）。これにより、植物３及び水苔４は、躯体２に刺し込まれた固定具５の２本の針状部５１によって支えられると共に、固定具５の繋ぎ部５３によって針状部５１からの抜けが防止される。躯体２に刺し込まれた針状部５１は、反し５２によって躯体２からの脱落が防止される。つまり、植物３は、水苔４を根部３１に巻付けた生育可能な状態で、躯体２に刺し込まれた固定具５に支えられることにより、躯体２に取付けられる。
【００２０】
また、植物３の根部３１に水苔４を巻付けた後、固定具５１の２本の針状部５１によって水苔４及び植物３の根部３１を挟み込み、そして、植物３の水苔４及び植物３の根部３１を挟み込んだ２本の針状部５１の先端を躯体２に刺し込んでもよい。また、固定具５の２本の針状部５１の一部に植物３の根部３１を巻付けた後、植物３の根部３１及び固定具５の２本の針状部５１の一部に水苔４を巻付け、そして、植物３の根部３１及び水苔４の巻付けられた２本の針状部５１の先端を躯体２に刺し込んでもよい。これらのようにしても、植物３は、躯体２に刺し込まれた固定具５に支えられることにより、躯体２に取付けられる。
【００２１】
このような構成の立体造形花壇１によれば、躯体２が発泡樹脂から成るため、立体造形花壇１の重量を軽くすることができる。また、固定具５を用いて躯体２の表面に植物３を取付けるだけで、容易に立体造形花壇１を作製することができる。しかも、植物３を躯体２に直接に植え込まずに、別途育てた植物３を躯体２に取付けるため、ある程度大きく育った植物３を使用でき、すぐに鑑賞できる立体造形花壇１を作製することができる。さらに、取付ける植物３の大きさにより、植物３の取付け位置を自由に調節できるメリットがあると共に、成長の早い植物３は取付け間隔を広く取るなど、植物３の性質に合わせて植物３の取付け位置を調節することができ、容易に立体造形花壇１を作製することができる。また、躯体２が発泡樹脂から成るため、植物３を取付けながら、躯体２を削って、躯体２の形状を微調整することができる大きな利点があり、植物３を取付けながら躯体２の形状を微調整することにより、動物の体の曲線等を美しく造り出すことができる。
【００２２】
なお、上記実施形態において、水苔４に代えて、スポンジ等の水を含むことのできる物質を用いてもよい。すなわち、植物３は、スポンジ等の水を含むことのできる物質を植物３の根部３１に巻付けた生育可能な状態で、躯体２に取付けられてもよい。また、植物３は、固定具５を用いずに、接着剤を用いて、植物３の根部３１又は水苔４を躯体２の表面に接着することにより、躯体２に取付けられてもよく、固定具５と接着剤を併用して、躯体２に取付けられてもよい。
【００２３】
図３（ａ）（ｂ）は、植物３の別の例、及びこの植物３の躯体２への取付構造を示す。この植物３は、上記図１及び図２に示したものと同様に、ピット苗（根部３１が径２〜３ｃｍ位の小さな苗）であり、別途栽培育成されたものである。但し、この植物３は、上記図１及び図２に示したものと異なり、根部３１に培地６を有している。植物３は、このようなものを用いてもよい。
【００２４】
このような植物３を用いる場合、植物３は、接着剤７を用いて、躯体２に取付けられる。すなわち、培地６の底面に接着剤を塗布し、そして、培地６の底面を躯体２の表面に貼り合せる。これにより、植物３及び培地６は、接着剤７によって躯体２の表面に接着される。つまり、植物３は、培地６に植付けた生育可能な状態で、接着剤７によって躯体２の表面に接着されることにより、躯体２に取付けられる。
【００２５】
なお、このような植物を用いる場合、植物３は、接着剤７を用いずに、上記図１及び図２に示した固定具５を用いて、躯体２に取付けられてもよい。この場合、固定具５の２本の針状部５１を培地６に貫通さて躯体２に刺し込んでもよいし、また、固定具５１の２本の針状部５１によって培地６を挟み込み、そして、培地６を挟み込んだ２本の針状部５１の先端を躯体２に刺し込んでもよい。これらのようにすれば、植物３は、培地６に植付けた生育可能な状態で、躯体２に刺し込まれた固定具５に支えられることにより、躯体２に取付けられる。また、植物３は、接着剤７と固定具５を併用して、躯体２に取付けられてもよい。
【００２６】
図４（ａ）（ｂ）は、植物３のさらに別の例、及びこの植物３の躯体２への取付構造を示す。この植物３は、複数の植物単体３ａが１つのマット状の培地６に栽培されたマット状植物であり、別途栽培育成されたものである。植物３は、このようなものを用いてもよい。なお、この植物３の栽培に用いられているマット状の培地６には、植物が堆積し、腐植化したピートモスと呼ばれる農業、園芸用土が用いられる。
【００２７】
このような植物３を用いる場合、植物３は、接着剤７及び上記図１及び図２に示した固定具５を併用して、躯体２に取付けられる。すなわち、培地６の底面に接着剤を塗布し、そして、培地６の底面を躯体２の表面に貼り合せると共に、固定具５の２本の針状部５１を培地６に貫通させて躯体２に刺し込む。これにより、植物３及び培地６は、接着剤７によって躯体２の表面に接着されると共に、躯体２に刺し込まれた固定具５の２本の針状部５１によって支えられる。つまり、植物３は、培地６に植付けた生育可能な状態で、接着剤７によって躯体２の表面に接着されると共に、躯体２に刺し込まれた固定具５に支えられることにより、躯体２に取付けられる。また、植物３は、図１乃至図４に示したものを混在させて躯体２に取付けてもよい。
【００２８】
図５は、固定具５の別の構成を示す。この固定具５は、躯体２に刺し込まれる１本の針状部５１により構成されており、針状部５１の先端（すなわち躯体２に刺し込まれる先端）に、躯体２からの脱落防止の反し５２を有している。この固定具５は、一本の金属を折り曲げて形成されているか、樹脂成型されている。固定具５は、このような構成であってもよい。
【００２９】
図６は、固定具５のさらに別の構成を示す。この固定具５は、躯体２に刺し込まれる１本の針状部５１により構成されており、針状部５１の先端（すなわち躯体２に刺し込まれる先端）に、躯体２からの脱落防止の複数の反し５２を有している。この固定具５は、プラスチック等の樹脂を成型加工して形成されている。固定具５は、このような構成であってもよい。
【００３０】
図７は、立体造形花壇１の別の構成を示す。立体造形花壇１（１ａ、１ｂ，１ｃ）は、例えばビルなどの建築物９０の地面に垂直な壁面９１に設置されており、レリーフ（浮彫）に造形されている。各立体造形花壇１ａ、１ｂ，１ｃは、上記図１及び図２の構成と同様に、発泡樹脂から成る躯体２（２ａ、２ｂ，２ｃ）に、多数の植物３を生育可能な状態で取付けた構成となっている。立体造形花壇１ａは、絵柄「★」の形をレリーフに造形して表現しており、表面は平面的になっている。立体造形花壇１ｂは、文字「Ａ」の形をレリーフに造形して表現しており、表面は平面的になっている。立体造形花壇１ｃは、人の顔の形をレリーフに造形して表現しており、表面は凹凸のある形状になっている。
【００３１】
図８は、立体造形花壇１ａの構成を示す。立体造形花壇１ａは、絵柄「★」の形の外郭線を成す外郭枠１１ａを作って、その外郭枠１１ａを壁面９１に取付け、そして、その外郭枠１１ａに囲まれた内側のボックス状になっている部分に、発泡樹脂から成る躯体２ａを固定し、その躯体２ａに多数の植物３を取付けることにより、作製される。外郭枠１１ａは、例えば、鉄板や木板によって作られる。植物３は、例えば、根部３１に培地を有していないピット苗（上記図１及び図２に示したもの）が用いられる場合、上記図１及び図２の構成と同様に、水苔４を植物３の根部３１に巻付けた生育可能な状態で、固定具５を用いて、躯体２ａに取付けられる。
【００３２】
図９は、立体造形花壇１ｂの構成を示す。立体造形花壇１ｂは、文字「Ａ」の形の外郭線を成す外郭枠１１ｂを作って、その外郭枠１１ｂを壁面９１に取付け、そして、その外郭枠１１ｂに囲まれた中に、発泡樹脂から成る躯体２ｂを固定し、その躯体２ｂに多数の植物３を取付けることにより、作製される。外郭枠１１ｂは、上記図８の構成と同様に、例えば、鉄板や木板によって作られる。植物３は、上記図８の構成と同様に、例えば、根部３１に培地を有していないピット苗が用いられる場合、水苔４を植物３の根部３１に巻付けた生育可能な状態で、固定具５を用いて、躯体２ｂに取付けられる。
【００３３】
図１０（ａ）（ｂ）は、立体造形花壇１ｃの構成を示す。立体造形花壇１ｃは、人の顔の形の外郭線を成す外郭枠１１ｃを作って、その外郭枠１１ｃを壁面９１に取付け、そして、その外郭枠１１ｃに囲まれた中に、所望の凹凸形状（人の顔の凹凸形状）に削り出した発泡樹脂から成る躯体２ｃを固定し、その躯体２ｃに植物３を取付けることにより、作製される。外郭枠１１ｃは、上記図８の構成と同様に、例えば、鉄板や木板によって作られる。植物３は、上記図８の構成と同様に、例えば、根部３１に培地を有していないピット苗が用いられる場合、水苔４を植物３の根部３１に巻付けた生育可能な状態で、固定具５を用いて、躯体２ｃに取付けられる。
【図面の簡単な説明】
【００３４】
【図１】本発明の一実施形態に係る立体造形花壇の構成を示す斜視図。
【図２】同立体造形花壇の植物の構成、固定具の構成、及び固定具を用いた植物の躯体への取付構造を示す斜視図であり、（ａ）は植物の根部に水苔を巻付ける前の図、（ｂ）は植物の根部に水苔を巻付けた後、固定具を水苔及び植物の根部に貫通させた状態の図、（ｃ）は水苔及び植物の根部に貫通させた固定具を躯体に刺し込んで、植物を躯体に取付けた状態の図。
【図３】同立体造形花壇に用いる植物の別の例、及びこの植物の躯体への取付構造を示す側面図であり、（ａ）は植物を躯体に取付ける前の図、（ｂ）は植物を躯体に取付けた状態の図。
【図４】同立体造形花壇に用いる植物のさらに別の例、及びこの植物の躯体への取付構造を示す側面図であり、（ａ）は植物を躯体に取付ける前の図、（ｂ）は植物を躯体に取付けた状態の図。
【図５】同立体造形花壇の植物を取付けるために用いる固定具の別の構成を示す正面図。
【図６】同立体造形花壇の植物を取付けるために用いる固定具のさらに別の構成を示す正面図。
【図７】同立体造形花壇の別の複数の構成を示す正面図。
【図８】同立体造形花壇の別の複数の構成のうちの１つの構成を示す分解斜視図。
【図９】同立体造形花壇の別の複数の構成のうちの別の１つの構成を示す分解斜視図。
【図１０】（ａ）は同立体造形花壇の別の複数の構成のうちのさらに別の１つの構成を示す分解斜視図、（ｂ）は同側面図。
【符号の説明】
【００３５】
１、１ａ、１ｂ，１ｃ    立体造形花壇
２、２ａ、２ｂ，２ｃ    躯体
３    植物
３ａ    植物単体
４    水苔（保水体）
５    固定具
６    培地
７    接着剤
３１    植物の根部
５１    針状部
５２    反し
５３    繋ぎ部
【図１】
2010035503.tif 000003
【図２】
2010035503.tif 000004
【図３】
2010035503.tif 000005
【図４】
2010035503.tif 000006
【図５】
2010035503.tif 000007
【図６】
2010035503.tif 000008
【図７】
2010035503.tif 000009
【図８】
2010035503.tif 000010
【図９】
2010035503.tif 000011
【図１０】
2010035503.tif 000012